(57)【要約】【課題】本体１２から延出されている引紐が引き出されることによって音が鳴るクラッカーを鳴らすための装置であって、単純な操作で複数のクラッカーを連発的に鳴らすことが可能であり、クラッカーを新しいものと取り替えることで装置を繰り返し利用することができるものを提案する。【解決手段】クラッカー連発装置４に、複数組のクラッカー作動機構６を備える。クラッカー作動機構６は、第一の向き３１へ本体１２が動けないようにクラッカー１０を支持できるクラッカー支持体６１と、回転体８１の周面に設けられた作動体８５と、クラッカー１０から第一の向きへ引き延ばされた引紐１１の一部分を作動体８５の軌跡と交わるように案内する引紐案内体７１とを備える。【選択図】図１
2011185524.tif 000002
【特許請求の範囲】
【請求項１】
本体から延出されている引紐が更に引き出されることによって音が鳴るクラッカーを鳴らすための装置であって、
引紐が第一の向きへ引き出され且つ本体が第一の向きへ移動できないようにクラッカーを支持するクラッカー支持体と、
クラッカー支持体から第一の向きへ離れて配置され、第一の向きと略直交する回転軸を中心として回転する回転体の周面に設けられた作動体と、
クラッカー支持体と作動体との間に配置され、クラッカー支持体に支持されたクラッカーの引紐の一部分を被作用部としたときに、この被作用部を回転体の回転に伴う作動体の移動の軌跡と交わる位置へ案内する引紐案内体とを、
複数組備えているクラッカー連発装置。
【請求項２】
複数の前記作動体は、相互に異なる回転位相となるように前記回転体の周面に設けられている、請求項１に記載のクラッカー連発装置。
【請求項３】
前記作動体は、前記回転体の周面から前記回転軸を中心とする放射方向へ突出する突起形状を有し、
前記引紐案内体は、引紐の被作用部を前記回転軸の軸方向と略平行となるように案内して支持する支持部を有する、請求項１又は請求項２に記載のクラッカー連発装置。
【請求項４】
前記作動体は、引紐に対して作用する部位に、前記回転軸の軸方向と略直交する方向へ延びる溝を備えている、請求項１〜請求項３のいずれか一項に記載のクラッカー連発装置。
【請求項５】
前記引紐案内体は、前記回転軸の軸方向と略平行に並ぶ第一の支持部及び第二の支持部と、この第一の支持部と第二の支持部の間に掛け渡された引紐の状態を維持するために引紐を留める留め部とを有するとともに、この第一の支持部と第二の支持部との間を前記作動体の移動の軌跡が通るように配置されている、請求項１〜請求項４のいずれか一項に記載のクラッカー連発装置。
【請求項６】
前記引紐案内体は、前記回転軸の軸方向と略平行に並ぶ第一の支持部及び第二の支持部を有し、輪に成形された引紐を周囲に巻き掛けることのできる柱状体であり、この第一の支持部と第二の支持部との間を前記作動体の移動の軌跡が通るように配置されている、請求項１〜請求項５のいずれか一項に記載のクラッカー連発装置。
【請求項７】
前記作動体は、前記引紐案内体の第一の支持部及び第二の支持部の間を上向きに通るように移動し、前記引紐案内体の上面は第一の向きに上る傾きを備えている、請求項６記載のクラッカー連発装置。
【請求項８】
前記クラッカー支持体から第一の向きと逆向きに離れた位置に、クラッカーが鳴るときに放出される爆風を利用して動作する爆風利用体を備えている、請求項１〜請求項７のいずれか一項に記載のクラッカー連発装置。
【発明の詳細な説明】
【技術分野】
【０００１】
本発明は、複数のクラッカーを鳴らすための装置に関する。
【背景技術】
【０００２】
一般的なクラッカーは、三角錐形の本体と、この本体内に収容された振動片及び火薬と、この火薬に一端が固め付けられ他端が本体後部の尖端から延出された引紐とで構成されている。このようなクラッカーは、引紐を本体から更に引き出すように引っ張ると鳴る、つまり、音を生じるように構成されている。詳細には、引紐が引っ張られることにより引紐と振動片との間に摩擦熱が生じ、この摩擦熱で火薬が爆発して爆発音が生じ、その爆風によって本体前部の発射口が開口する。クラッカーには、音が鳴るものや、音が鳴るとともに本体内に装填された小巻テープや紙吹雪等の飛翔物を爆風で発射口から放出するものが知られている。
【０００３】
クラッカーは、例えば、パーティなどにおいて賑やかな演出をするために用いられる。１つのクラッカーが発生する音は刹那的であるが、多数のクラッカーが間髪を入れずに次々と鳴れば、より派手で賑やかな演出となる。しかし、手作業で多数のクラッカーを連発的に、特に、短い間隔で断続的に鳴らすことは容易ではない。そこで、従来、単純な操作で複数のクラッカーを連発的に鳴らすための装置が提案されている。
【０００４】
例えば、特許文献１に記載されたクラッカー遊具は、弓形に形成されたホルダに、縦に並べられた複数のクラッカーを備えたカセットが取り付けられている。そして、この弓形のホルダに弓の弦になぞらえた連結紐が設けられており、この連結紐を引っ張ると複数のクラッカーが次々と鳴るように構成されている。この連結紐には各クラッカーの引紐が連結されており、連結紐を引っ張るとクラッカーが鳴る順番に対応するクラッカーの引紐に張力が加わるように、引紐の長さが決定されている（引用文献１の［００２３］［００２４］を参照）。
【０００５】
また、例えば、特許文献２に記載された複数本発射型クラッカーは、円錐状の筒体内に複数の小型クラッカーを備え、この複数の小型クラッカーの引紐が束ねられて筒体の後部から延出されている。各小型クラッカーの引紐の長さは相互に異なるように調整されている。そして、全ての引紐を一斉に引っ張ることで各小型クラッカーが所定時間差をおいて連発的に鳴るように構成されている（引用文献２の［００１１］を参照）。
【０００６】
また、例えば、特許文献３に記載されたクラッカー爆音放射筒は、細長筒体の本体内に、引紐が同一向きへ引き出されるように複数のクラッカーを収容したクラッカー弾と、各引紐が連結された引紐操作体とを備えている。そして、引紐操作体を本体内で移動させることによって、クラッカー弾のクラッカーを順次爆発させるように構成されている。ここでも、引紐操作体に連結される各引紐の長さを違えることによって、１回の引紐の引っ張り操作で複数のクラッカーを順次爆発させるようになっている（引用文献３の［００１５］を参照）。
【先行技術文献】
【特許文献】
【０００７】
【特許文献１】特開２００２−１１５９９７号公報
【特許文献２】特開２００３−１９４９９号公報
【特許文献３】特開２００４−３０９０４３号公報
【発明の概要】
【発明が解決しようとする課題】
【０００８】
上述の特許文献１〜３に記載されたいずれの発明においても、一操作で複数のクラッカーを次々と鳴らすために、各クラッカーの引紐の長さを調整する手法が採用されている。これらのうち特許文献３に記載された発明では、複数のクラッカーの引紐の長さの調整はクラッカー弾を本体に装着するユーザーが行わねばならない。しかし、一般的な小型のクラッカーの引紐の長さは僅か８ｃｍ程度であり、特殊な技量を持たないユーザーが引紐の長さ調整を行うことは難しい。したがって、クラッカーの鳴るタイミングが重なるような引紐の長さ調整ミスが生じることがあり、仮にユーザーが調整できたとしても煩わしい作業となる。一方、特許文献１及び特許文献２に記載された発明では、複数のクラッカーの引紐の長さの調整は製造の過程で行われ、ユーザーはカセット又は製品として引紐の長さが調整された複数のクラッカーを取り扱うことができる。このように製造の過程でクラッカーの引紐の長さが調整される場合には、複数のクラッカーとこれらのクラッカーを保持するカセットなどの保持体とが一体的に取り扱われることから、使用後の排棄量が大きくなったり、一般的なクラッカーが利用できないことからランニングコストを抑えることが難しくなったりするという課題がある。
【０００９】
そこで、本発明では、複数のクラッカーを連発的に鳴らすことのできるクラッカー連発装置であって、操作が単純であるとともに、一般に市販されているクラッカーを利用することのできるものを提供することを目的とする。
【課題を解決するための手段】
【００１０】
本発明に係るクラッカー連発装置は、本体から延出されている引紐が更に引き出されることによって音が鳴るクラッカーを鳴らすための装置であって、引紐が第一の向きへ引き出され且つ本体が第一の向きへ移動できないようにクラッカーを支持するクラッカー支持体と、クラッカー支持体から第一の向きへ離れて配置され、第一の向きと略直交する回転軸を中心として回転する回転体の周面に設けられた作動体と、クラッカー支持体と作動体との間に配置され、クラッカー支持体に支持されたクラッカーの引紐の一部分を被作用部としたときに、この被作用部を回転体の回転に伴う作動体の移動の軌跡と交わる位置へ案内する引紐案内体とを、複数組備えているものである。
【００１１】
上記構成のクラッカー連発装置に、複数のクラッカーを装着し、回転体を回転させれば、複数のクラッカーを鳴らすことができる。クラッカーを装置へ装着する際には、クラッカー支持体へクラッカーの本体を支持させ、第一の方向へ延出している引紐の被作用部を作動体の移動の軌跡と交わる位置へ引紐案内体を用いて案内させる。このようにして複数のクラッカーが装置に装着された状態で回転体を回転させると、作動体は回転軸を中心として円周方向へ移動し、やがて引紐の被作用部と当接する。そして、作動体が引紐の被作用部に当接した状態（作動体に引紐の被作用部が引っ掛かった状態）で更に円周方向へ移動すると、引紐が張られることによって引紐が本体より引き出されてクラッカーが鳴る。上述の通り、クラッカー連発装置では、回転体を回転させるという単純な操作で、複数のクラッカーを鳴らすことができる。しかも、装置はクラッカー支持体と引紐案内体と回転体に設けられた作動体とで構成されており、これらの要素には精密さが要求されたり制御が必要となったりするような複雑な機構は含まれておらず、装置の構成は単純である。したがって、装置の製造コストを抑えて装置を安価に提供することが可能である。さらに、このクラッカー連発装置は、使用後に新たなクラッカーを装着すれば再度クラッカーを鳴らすことができるので、繰り返し使用することができる。これに加え、クラッカー連発装置には、市販されている一般的なクラッカーを利用することができる。よって、装置のランニングコストを抑えることができる。
【００１２】
前記クラッカー連発装置において、複数の前記作動体は、相互に異なる回転位相となるように前記回転体の周面に設けられていることがよい。これにより、回転体を１回転させるうちに複数の作動体が各々に対応する引紐の被作用部に当接するが、この当接するタイミングがずれる。したがって、クラッカー連発装置に装着された各クラッカーの鳴るタイミングがずれて、複数のクラッカーを間隔をおいて次々と連発的に鳴らすことができる。
【００１３】
また、前記クラッカー連発装置において、前記作動体は、前記回転体の周面から前記回転軸を中心とする放射方向へ突出する突起形状を有し、前記引紐案内体は、引紐の被作用部を前記回転軸の軸方向と略平行となるように案内して支持する支持部を有することがよい。かかる構成により、円周方向へ移動する作動体と引紐の被作用部とが当接するときにこれらは略直交するので、作動体は引紐を逃がさずに確実に引っ掛けることができる。
【００１４】
さらに、前記クラッカー連発装置において、前記作動体は、引紐に対して作用する部位に、前記回転軸の軸方向と略直交する方向へ延びる溝を備えていることがよい。これにより、円周方向へ移動する作動体と引紐の被作用部とが当接すると、溝に引紐の被作用部が嵌るので、作動体は引紐を逃がさずに確実に引っ掛けることができる。
【００１５】
前記クラッカー連発装置において、前記引紐案内体は、前記回転軸の軸方向と略平行に並ぶ第一の支持部及び第二の支持部と、この第一の支持部と第二の支持部の間に掛け渡された引紐の状態を維持するために引紐を留める留め部とを有するとともに、この第一の支持部と第二の支持部との間を前記作動体の移動の軌跡が通るように配置されていることがよい。かかる構成により、円周方向へ移動する作動体は、引紐案内体と干渉することなく引紐の被作用部に当接することができる。
【００１６】
或いは、前記クラッカー連発装置において、前記引紐案内体は、前記回転軸の軸方向と略平行に並ぶ第一の支持部及び第二の支持部を有し、輪に成形された引紐を周囲に巻き掛けることのできる柱状体であり、この第一の支持部と第二の支持部との間を前記作動体の移動の軌跡が通るように配置されていることがよい。このとき、前記作動体は、前記引紐案内体の第一の支持部及び第二の支持部の間を上向きに通るように移動し、前記引紐案内体の上面は第一の向きに上る傾きを備えていることがよい。上記構成において、クラッカーの引紐を輪に成形して引紐案内体の周囲に巻き掛ければ、引紐の被作用部を作動体の移動の軌跡上に案内することができる。そして、円周方向へ作動体が移動すると、作動体は引紐案内体と干渉することなく引紐の被作用部に当接することができる。さらに、作動体に引っ掛かって上方へ引っ張られる引紐の輪は、引っ掛かることなく引紐案内体から抜け出すことができる。
【００１７】
さらに、前記クラッカー連発装置において、前記クラッカー支持体から第一の向きと逆向きに離れた位置に、クラッカーが鳴るときに放出される爆風を利用して動作する爆風利用体を備えていることがよい。これにより、クラッカーが爆発する音に加え、爆風利用体でも演出を行うことができる。
【発明の効果】
【００１８】
本発明によれば、回転体を回転させるという単純な操作で、複数のクラッカーを鳴らすことができる。更に、クラッカー連発装置は、クラッカーを新たに装着すれば装置を繰り返し使用することができるとともに、一般に市販されているクラッカーを利用することができるので、装置のランニングコストを抑えることができる。
【図面の簡単な説明】
【００１９】
【図１】本発明の実施の形態１に係るクラッカー連発装置の側面図である。
【図２】図１に示すクラッカー連発装置の平面図である。
【図３】図１に示すクラッカー連発装置の動作を説明するための概略側面図であり、（ａ）作動体が移動し始めた状態、（ｂ）は作動体が引紐に作用し始めた状態、（ｃ）は作動体が引紐を引っ張っている状態をそれぞれ示している。
【図４】変形例１に係るクラッカー連発装置の側面図である。
【図５】本発明の実施の形態２に係るクラッカー連発装置の斜視図である。
【図６】図５に示すクラッカー連発装置の動作を説明するための概略側面図であり、（ａ）作動体が移動し始めた状態、（ｂ）は作動体が引紐に作用し始めた状態、（ｃ）は作動体が引紐を引っ張っている状態をそれぞれ示している。
【図７】本発明の実施の形態３に係るクラッカー連発装置の斜視図である。
【図８】本発明の実施の形態４に係るクラッカー連発装置の平面図である。
【図９】図８に示すクラッカー連発装置の動作を説明するための概略側面図であり、（ａ）作動体が移動し始めた状態、（ｂ）は作動体が引紐に作用し始めた状態、（ｃ）は作動体が引紐を引っ張っている状態をそれぞれ示している。
【発明を実施するための形態】
【００２０】
以下、本発明を実施するための形態について、図面を参照しながら、詳細に説明する。なお、以下では全ての図を通じて同一又は相当する要素には同一の参照符号を付して、その重複する説明を省略する。
【００２１】
［実施の形態１］
まず、本発明の実施の形態１に係るクラッカー連発装置４について説明する。図１は本発明の実施の形態１に係るクラッカー連発装置の側面図、図２は図１に示すクラッカー連発装置の平面図である。図１及び図２では、最大３つのクラッカー１０，，を装着することが可能であって、これらのクラッカー１０，，を連発的に鳴らすことができるように構成されたクラッカー連発装置４が示されている。但し、クラッカー連発装置４は、装着できるクラッカー１０の数を所望に応じて増減させた態様をとることができる。
【００２２】
クラッカー連発装置４に装着されるクラッカー１０は、市販されている一般的なクラッカーを用いることができる。一般的なクラッカー１０は、紙で成る三角錐形の本体１２と、この本体１２内に収容された振動片及び火薬と、この火薬に一端が固め付けられ他端は本体１２の尖端から延出された引紐１１とで構成された花火である。このクラッカー１０の引紐１１を所定の引き代の長さ分だけ本体１２から引き出すと、引紐１１と振動片との摩擦熱で内部の火薬が音を立てて爆発し、その爆風によって本体１２の尖端と反対側の端部である発射口が開口する。クラッカー１０の構造は公知であるのでこれ以上の詳細な説明は省略する。
【００２３】
クラッカー連発装置４は、平板状の基台５と、これに据え付けられた複数組のクラッカー作動機構６，，とを備えている。クラッカー作動機構６は、クラッカー１０の本体１２から引紐１１をさらに引き出して、該クラッカー１０を鳴らすための機構である。本実施の形態に係るクラッカー連発装置４は、３組のクラッカー作動機構６，，を備えている。１組のクラッカー作動機構６は、クラッカー支持体６１と、引紐案内体７１と、作動体８５とを備えており、クラッカー支持体６１から或第一の向き（図１及び図２に示す矢印３１の向き）に引紐案内体７１、作動体８５の順に並んでいる。以下では、クラッカー連発装置４の各構成要素について詳細に説明する。
【００２４】
まず、クラッカー支持体６１から説明する。クラッカー支持体６１は、クラッカー支持体６１の本体１２を支持するためのものである。クラッカー支持体６１は、引紐１１が第一の向き３１へ引き出され、且つ、本体１２が第一の向き３１へ移動できないように、クラッカー１０を支持している。本実施の形態に係るクラッカー支持体６１は、軸線方向が略水平且つ第一の向き３１と略平行となるように横置きされた円錐台筒形状の筒体で構成されている。この筒体は支柱６２を介して基台５に固定されている。クラッカー支持体６１は、挿入開口６１ａと、該挿入開口６１ａの反対側にそれよりも小径の露出開口６１ｂとを有している。露出開口６１ｂは第一の向き３１へ開口している。なお、クラッカー支持体６１は、クラッカー連発装置４に装着されるクラッカー１０の数に応じて３つ設けられており、これら３つのクラッカー支持体６１，，は、その軸線方向が平行となるように端部を揃えて並べられている。
【００２５】
クラッカー１０をクラッカー支持体６１へ装着する際には、クラッカー１０を本体１２の尖端からクラッカー支持体６１の挿入開口６１ａへ挿入し、第一の向き３１へ移動させる。やがて、クラッカー１０の外周面とクラッカー支持体６１の内周面とが当接し、クラッカー１０は第一の向き３１への移動が規制される。このようにクラッカー支持体６１により第一の向き３１への移動が規制されているクラッカー１０は、本体１２の尖端部分とこの尖端部分から延出している引紐１１とが露出開口６１ｂから露出している。上述のようにクラッカー支持体６１に装着されて支持されたクラッカー１０は、引紐１１が本体１２から引き出される向き（以下、単に「引出向き」といいう）が第一の向き３１と略平行であり、且つ、本体１２が第一の向き３１へ動けないように移動が規制されている。
【００２６】
なお、クラッカー支持体６１の挿入開口６１ａはクラッカー１０の最大径よりも小さい内径を有し、同じく露出開口６１ｂはクラッカー１０の尖端部分が数ｃｍ程度露出する大きさの内径を有している。この条件を充足する露出開口６１ｂの内径は、例えば１５〜２０ｍｍであり、挿入開口６１ａの内径はそれよりも大きな値である。一般的な円錐形状のクラッカー１０では、本体１２の大きさが例え異なっていても本体１２の軸線と母線とが成す角度に大差はないので、小型のクラッカー１０を支持できるように構成されたクラッカー支持体６１は、大きさが異なる複数種類のクラッカーを支持できる。
【００２７】
次に、作動体８５について説明する。作動体８５は、クラッカー１０を鳴らすために、引紐案内体７１に案内された引紐１１の一部分に対して作用するものである。以下では、作動体８５が作用する引紐１１の一部分を「被作用部１１ｃ」という。
【００２８】
作動体８５は、回転体８１の周面に設けられている。回転体８１は、基台５に固定されたブラケット８３，８３に支承された回転軸８２を軸心として回転する横置きされた円柱体である。回転軸８２の軸方向は、第一の向き３１と略直交している。回転軸８２には回転体８１を回転させるためのハンドル８４が設けられている。この回転体８１はユーザーがハンドル８４を手動で回すことにより回転するが、回転軸８２を駆動モータ等の動力源と連結して、この動力源の動力で回転体８１を回転させるように構成することもできる。或いは、回転体８１の回転軸８２を渦巻きばねを用いた所謂ゼンマイ仕掛けで回転させるようにすることもできる。
【００２９】
回転体８１の周面には、回転軸８２を中心として放射方向へ突出する突起形状の作動体８５が設けられている。このような作動体８５は、クラッカー支持体６１と対応して回転体８１の周面に３つ設けられており、或クラッカー支持体６１と対応する作動体８５は当該クラッカー支持体６１から第一の向き３１へ離れたところに配置されている。
【００３０】
続いて、引紐案内体７１について説明する。引紐案内体７１は、クラッカー支持体６１に支持されたクラッカー１０の本体１２から延出している引紐１１の被作用部１１ｃを、作動体８５の移動の軌跡と交わる位置へ案内して保持するためのものである。引紐案内体７１は、対応するクラッカー支持体６１と作動体８５との間に設けられている。
【００３１】
本実施の形態に係る引紐案内体７１は、平面視略Ｖ字の柱形状を有している。引紐案内体７１の略Ｖ字の尖端７１１はクラッカー支持体６１へ向き、同じく略Ｖ字の谷間７１４は作動体８５へ向いている。そして、引紐案内体７１の略Ｖ字の谷間７１４の入口を形成している２つの端部には、上下中途部において案内溝７１２，７１３（第一の支持部，第二の支持部）が形成されている。２つの案内溝７１２，７１３は、作動体８５が通過できる程度に十分に離間して、回転軸８２の軸方向と略平行に並んでいる。案内溝７１２，７１３は、いずれも引紐案内体７１を略水平方向に切り欠いた形状を有し、第一の向き３１へ開口しており、その開口縁は引紐１１が引っ掛からないように滑らかに角が丸められている。さらに、引紐案内体７１の上面には、第一の向き３１に上る傾きが設けられている。
【００３２】
上記構成の引紐案内体７１で引紐１１を案内する際には、引紐１１に引紐案内体７１の外周よりも大きな輪１１ａを成形し、この輪１１ａを引紐１１の周囲に巻き掛ける。引紐１１の輪１１ａは、テープ、留め具、又は接着剤などで留めるか、結ぶことによって成形できる。引紐案内体７１に巻き掛けられた引紐１１は、２つの案内溝７１２，７１３を通され、これらの案内溝７１２，７１３により下方へ移動しないように支持される。そして、引紐１１の案内溝７１２，７１３に掛け渡された部分が被作用部１１ｃとなる。なお、一般的なクラッカー１０の引紐１１は紙製の「こより」で作られており、糸や紐と比較して形付け易く、形付けした形が維持されやすい。したがって、引紐１１を引紐案内体７１の外周に沿うように形付ければ、引紐１１は作動体８５が当接するまでその形が維持されることとなる。
【００３３】
ここで、図３を参照しながら、上記構成のクラッカー連発装置４の使用方法及び動作を説明する。図３は図１に示すクラッカー連発装置の動作を説明するための概略側面図であり、（ａ）作動体が移動し始めた状態、（ｂ）は作動体が引紐に作用し始めた状態、（ｃ）は作動体が引紐を引っ張っている状態をそれぞれ示している。
【００３４】
初めに、クラッカー支持体６１にクラッカー１０を装着する。クラッカー１０のクラッカー支持体６１への装着の手順は前述したとおりである。クラッカー支持体６１に装着されたクラッカー１０の引紐１１は第一の向き３１へ延出されており、この引紐１１の被作用部１１ｃは引紐案内体７１によって作動体８５の移動の軌跡と交わる位置に案内されている。引紐案内体７１による引紐１１の案内の手順は前述した通りである。
【００３５】
上述のようにして全てのクラッカー１０，，が装着された状態で、ハンドル８４を操作して回転体８１を回転させる。すると、作動体８５は、回転体８１の回転に伴って回転軸８２を中心とする円周方向（図３の矢印３３の方向）へ移動する（図３（ａ）参照）。本実施の形態に係る作動体８５は、引紐案内体７１の略Ｖ字の谷間を上向きに通るように移動する。したがって、引紐案内体７１と作動体８５とが互いに干渉することはない。
【００３６】
やがて、移動する作動体８５に引紐１１の被作用部１１ｃが当接する（図３（ｂ）参照）。このとき、引紐１１の被作用部１１ｃは、回転体８１の軸方向と略平行であることがよい。なぜなら、作動体８５は回転軸８２を中心とする円周方向３３へ移動するので、引紐１１の被作用部１１ｃに対して作動体８５が当接するときにこれらが略直交すれば、作動体８５は引紐１１を逃がさずに確実に引っ掛けることができるからである。また、本実施の形態に係る作動体８５は、移動の過程で引紐案内体７１に保持されている引紐１１の一部分を下から上へすくい上げて引っ掛けるため、作動体８５は移動方向へ向けて先が曲がった鉤状を有し、引紐１１がより掛かり易くなっている。
【００３７】
作動体８５と引紐１１の被作用部１１ｃとが当接した状態で、作動体８５が更に円周方向へ移動すると、引紐１１の輪１１ａが作動体８５に引っ掛かった状態で斜め上方へ引っ張られて引紐案内体７１から抜け出す（図３（ｃ）参照）。ここで、引紐案内体７１の上面は第一の向き３１へ上る傾きを有するので、作動体８５に引っ張られる引紐１１の動きは引紐案内体７１によって阻害されない。
【００３８】
引紐１１が作動体８５に引っ張られることによって、本体１２から引き出された引紐１１の引き代が所定の長さになるとクラッカー１０が鳴る。なお、クラッカー１０が鳴るために必要な引紐１１の引き代は、一般的なクラッカーで５〜１０ｍｍ程度の長さである。同様にして、クラッカー連発装置４に装着された他のクラッカー１０，１０も鳴る。
【００３９】
なお、クラッカー連発装置４に装着された複数のクラッカー１０，，を次々と連発的に鳴らすために、クラッカー連発装置４に具備される複数の作動体８５，，は、相互に異なる回転位相となるように回転体８１に設けられている。図１及び図２を用いて平易に説明すると、第一の作動体８５Ａが第一のクラッカー１０Ａの引紐１１に作用したのち、第２の作動体８５Ｂが第２のクラッカー１０Ｂの引紐１１に作用し、続いて、第３の作動体８５Ｃが第３のクラッカー１０Ｃの引紐１１に作用する。このように各作動体８５の引紐１１に作用するタイミングをずらすために、回転体８１の周面上において複数の作動体８５Ａ，８５Ｂ，８５Ｃの位置が円周方向にずれて異なっている。したがって、本実施の形態に係るクラッカー連発装置４では、クラッカー１０の引紐１１の長さを調整する煩わしい作業は不要ながらも、確実に複数のクラッカー１０Ａ，１０Ｂ，１０Ｃの鳴るタイミングをずらすことができる。
【００４０】
上述の通り、クラッカー連発装置４を用いれば、ハンドル８４をおよそ１回転させるという単純且つ簡易な操作で複数のクラッカー１０，，を次々と連発的に鳴らすことができる。クラッカー１０が鳴るタイミングは、回転体８１に設けられた作動体８５の位置によって決まる。つまり、複数の作動体８５の回転位相のずれによって、複数のクラッカー１０，，を時間間隔をおいて断続的に鳴らしたり、複数のクラッカー１０，，を極めて短い時間間隔で連発的に鳴らしたり、複数のクラッカー１０，，を同時に鳴らしたりすることができる。
【００４１】
しかも、クラッカー連発装置４は、クラッカー支持体６１と引紐案内体７１と回転体８１に設けられた作動体８５とで構成されており、これらの要素には精密さが要求されたり制御が必要となったりするような複雑な機構は含まれておらず、クラッカー連発装置４の構成は単純である。したがって、クラッカー連発装置４の製造コストを抑えて装置を安価に提供することが可能である。
【００４２】
そして、クラッカー連発装置４に装着された全てのクラッカー１０，，を鳴らし終えたあとは、クラッカー連発装置４から使用後のクラッカー１０，，を取り除いて新しいクラッカー１０，，を装着すれば、クラッカー連発装置４はこれらの新しいクラッカー１０，，を鳴らすために使用することができる。つまり、クラッカー連発装置４はクラッカー１０を新たに装着すれば、繰り返し使用することができる。これに加え、クラッカー連発装置４では、市販されている一般的なクラッカーを利用することができるので、装置のランニングコストを抑えることができる。
【００４３】
［変形例１］
ここで、図４を参照しながら、実施の形態１に係るクラッカー連発装置４の変形例１を説明する。図４は変形例１に係るクラッカー連発装置の側面図である。
【００４４】
実施の形態１の変形例１に係るクラッカー連発装置４は、クラッカー支持体６１に支持されたクラッカー１０のクラッカー１０の本体１２の発射口と対向する位置に、爆風利用体５１を備えている。したがって、前述したクラッカー連発装置４の一連の動作によりクラッカー１０が爆発して鳴り、該クラッカー１０の本体１２の発射口から爆風が放出されると、この爆風が爆風利用体５１に当たることとなる。爆風利用体５１は、この爆風を利用して動作するものである。
【００４５】
上述の爆風利用体５１は、例えば、スピーカのように機能する振動板である。この振動板に爆風が当たると、該振動板が振動して音を発する。ここで、各クラッカー作動機構６に対して一つずつ振動板を設け、各振動板の特性（大きさや厚みなど）を相違させることが望ましい。これにより、各クラッカーが発する音は同じであるが、このクラッカーの爆発に伴って各振動板が発する音は異なるものとなり、クラッカーの演出に趣向を凝らすことができる。
【００４６】
また、爆風利用体５１は、例えば、笛のように機能する孔のあけられた孔あき板である。この板に爆風が当たると、その一部が孔を通り抜けることにより音が鳴る。ここで、各クラッカー作動機構６に対して一つずつ孔あき板を設け、各孔あき板の孔の特性（孔の径や長さなど）を相違させることが望ましい。これにより、各クラッカーが発する音は同じであるが、このクラッカーの爆発に伴って各孔あき板が発する音は異なるものとなる。さらに、複数の孔あき板が発する音でメロディを奏でることもできる。
【００４７】
また、爆風利用体５１は、例えば、筒と該筒に内挿された矢で構成された吹き矢である。この筒の一端から爆風が内部に進入すると、筒の他端から矢が飛び出す。さらに、この吹き矢の飛び出した先に的を設け、例えばダーツのように的に向けて矢を飛ばすこともできる。
【００４８】
［実施の形態２］
ここで、図５を参照しながら、実施の形態２に係るクラッカー連発装置４を説明する。図５は実施の形態２に係るクラッカー連発装置の斜視図である。実施の形態２に係るクラッカー連発装置４は、引紐案内体７１と作動体８５の形状が上記実施の形態１で説明したものとは異なり、クラッカー支持体６１の構成を含めた他の構成は共通する。そこで、以下では実施の形態２に係るクラッカー連発装置４について、引紐案内体７１と作動体８５に関して詳細に説明し、余の重複する説明は省略する。
【００４９】
まず、引紐案内体７１から説明する。引紐案内体７１は、回転軸８２の軸方向と略平行に並ぶ第一の支持柱７２０と第二の支持柱７２２とで構成されている。第一の支持柱７２０と第二の支持柱７２２との間は、作動体８５が通過できる程度に十分に離間されている。第一の支持柱７２０は、クラッカー支持体６１に支持されたクラッカー１０の本体１２の尖端から第一の向き３１へ離れた位置に設けられている。第一の支持柱７２０は、その第一の向き３１の上部が略四角形に切り欠かれている。この切り欠きの下辺が第一の支持部７２１となっている。一方、第二の支持柱７２２は、上面に開口する細溝７２３が設けられており、この細溝７２３の底が第二の支持部７２４となっている。細溝７２３は、引紐１１を通すことはできるが、引紐１１に玉留めを作った場合にこの玉留めが通り抜けることのできない程度の溝幅を有している。
【００５０】
上記構成の引紐案内体７１で引紐１１を案内する際には、クラッカー支持体６１に支持されたクラッカー１０の本体１２から第一の向き３１に引き出された引紐１１を、第一の支持柱７２０の第一の支持部７２１を通し、第二の支持柱７２２の細溝７２３を通し、細溝７２３から出た引紐１１の尖端に玉留め１１ｂを形作る。このように案内された引紐１１は、引紐案内体７１の第一の支持部７２１と第二の支持部７２４の間に掛け渡された部分が被作用部１１ｃとなっている。玉留め１１ｂが作られた引紐１１は、細溝７２３を通り抜けることができないので、引紐案内体７１の第一の支持部７２１と第二の支持部７２４との間に掛け渡された引紐１１の状態が維持される。したがって、第二の支持柱７２２の細溝７２３は、引紐案内体７１の第一の支持部７２１と第二の支持部７２４との間に掛け渡された引紐１１の状態を維持するために、引紐１１を留める留め部として機能している。
【００５１】
続いて、作動体８５を説明する。作動体８５は、回転軸８２を中心として回転する回転体８１の周面に突起状に設けられている。作動体８５の、引紐１１の被作用部１１ｃに対して作用する部位には、回転軸８２の軸方向と略直交する方向へ延びる細溝８５３が設けられている。この細溝８５３（溝の奥部）は、引紐１１を通すことはできるが、引紐１１に玉留めを作った場合にこの玉留めが通り抜けることのできない程度の溝幅を有している。なお、細溝８５３の開口は、引紐１１が入り込みやすいように溝の奥部よりも広幅に開放している。
【００５２】
ここで、図６を参照しながら、実施の形態２に係るクラッカー連発装置４の使用方法及び動作について説明する。図６は図５に示すクラッカー連発装置の動作を説明するための概略側面図であり、（ａ）作動体が移動し始めた状態、（ｂ）は作動体が引紐に作用し始めた状態、（ｃ）は作動体が引紐を引っ張っている状態をそれぞれ示している。
【００５３】
初めに、クラッカー支持体６１にクラッカー１０の本体１２が支持され且つこのクラッカー１０の引紐１１が引紐案内体７１に案内された状態となるように、クラッカー１０をクラッカー連発装置４へ装着する。クラッカー１０の装着手順並びに引紐１１の案内手順は前述した通りである。
【００５４】
上述のように全てのクラッカー１０，，が装着された状態で、ハンドル８４を操作して回転体８１を逆回転（図６に矢印３５で示す回転方向）させる。この回転体８１の回転に伴って作動体８５が回転軸８２を中心として円周方向へ移動する（図６（ａ）参照）。やがて、移動する作動体８５に引紐案内体７１に案内された引紐１１の被作用部１１ｃが当接する（図６（ｂ）参照）。このとき、円周方向へ移動する作動体８５と引紐１１の被作用部１１ｃとが当接すると、細溝８５３に引紐１１の被作用部１１ｃが嵌り、細溝８５３により引紐１１が挟持されることとなる。よって、作動体８５は引紐１１を逃がすことなく確実に引っ掛けることができる。なお、ここで細溝８５３に嵌った引紐１１は該細溝８５３内を可動である。
【００５５】
作動体８５と引紐１１の被作用部１１ｃとが当接した状態で、作動体８５が更に円周方向へ移動すると、引紐１１は作動体８５に引っ掛かった状態で下方へ押し下げられる。ここで、引紐１１の玉留め１１ｂは第二の支持柱７２２の細溝７２３を抜け出せないことから、引紐１１の先端は固定端となっている。したがって、引紐１１の引紐１１が引紐案内体７１の第一の支持部７２１と第二の支持部７２４との間で下方へ撓むと、クラッカー１０の本体１２から引紐１１が引き出されて、この引き代が所定の長さになるとクラッカー１０が鳴る（図６（ｃ）参照）。なお、引紐１１に作動体８５が作用して該引紐１１に強い引っ張り力が作用したときに、引紐案内体７１の第二の支持柱７２２の細溝７２３から引紐１１の玉留め１１ｂが抜け出すことも想定されるが、このような場合には、作動体８５の細溝８５３に引紐１１の玉留め１１ｂが引っ掛かって引紐１１が引っ張られることとなる。
【００５６】
クラッカー連発装置４では複数のクラッカー１０，，を鳴らすので、１つのクラッカー１０が鳴ったあとも作動体８５の円周方向へ移動は継続する。クラッカー１０の本体１２から引紐１１が抜けると、前述の通り引紐１１の一端は固定端であるが他端は自由端となる。よって、クラッカー１０が鳴ったあとに作動体８５が円周方向への移動を継続すると作動体８５から引紐１１が自動的に離脱するので、引紐１１によりクラッカー連発装置４の動作が阻害されることはない。
【００５７】
［実施の形態３］
ここで、図７を参照しながら、実施の形態３に係るクラッカー連発装置４を説明する。図７は本発明の実施の形態３に係るクラッカー連発装置の斜視図である。実施の形態３に係るクラッカー連発装置４は、引紐案内体７１の形状が上記実施の形態２で説明したものとは異なり、クラッカー支持体６１及び作動体８５の構成を含めた他の構成、並びにクラッカー連発装置４の動作は共通する。そこで、以下では実施の形態３に係るクラッカー連発装置４について、引紐案内体７１に関して詳細に説明し、余の重複する説明は省略する。
【００５８】
実施の形態３に係るクラッカー連発装置４の引紐案内体７１は、平面視略Ｕ字の柱状体７３１である。この柱状体７３１は略Ｕ字の開放側が第一の向き３１へ向くように配置されている。そして、柱状体７３１の略Ｕ字の開放側の端部に、第一の向き３１へ向けて開放する案内溝７３２，７３３が形成されている。さらに、柱状体７３１の側面であって案内溝７３２，７３３のいずれか一方の近傍には、クリップ７３４が設けられている。このクリップ７３４は、例えば、柱状体７３１の側面との間で引紐１１を挟み込むように設けられた板バネで構成することができる。
【００５９】
上記構成の引紐案内体７１で引紐１１を案内する際には、クラッカー支持体６１に支持されたクラッカー１０の本体１２から第一の向き３１に引き出された引紐１１を、柱状体７３１の周囲を這わせたのち、２つの案内溝７３２，７３３を通し、端部をクリップ７３４で留める。案内溝７３２，７３３は、引紐１１を支持する第一の支持部及び第二の支持部として機能し、引紐１１の案内溝７３２，７３３に掛け渡された部分は被作用部１１ｃとなる。また、クリップ７３４は、引紐案内体７１の案内溝７３２，７３３（第一の支持部と第二の支持部）に掛け渡された引紐１１の状態を維持するために、引紐１１を留める留め部として機能している。このように、上記引紐案内体７１はクリップ７３４を備えることによって、引紐１１に輪１１ａや玉留め１１ｂを作る必要がないので、より簡単にクラッカー１０をクラッカー連発装置４へ装着することができる。
【００６０】
［実施の形態４］
続いて、本発明の実施の形態４に係るクラッカー連発装置４について説明する。実施の形態４に係るクラッカー連発装置４は、引紐案内体７１及び作動体８５を除く構成は前述した実施の形態１に係るクラッカー連発装置４と共通するので、以下では引紐案内体７１及び作動体８５について詳細に説明し、余の説明を省略する。
【００６１】
図８は本発明の実施の形態４に係るクラッカー連発装置の平面図、図９は図８に示すクラッカー連発装置の動作を説明するための概略側面図であり、（ａ）作動体が移動し始めた状態、（ｂ）は作動体が引紐に作用し始めた状態、（ｃ）は作動体が引紐を引っ張っている状態をそれぞれ示している。図８及び図９（ａ）に示すように、クラッカー連発装置４はクラッカー支持体６１の数と対応する３つの引紐案内体７１，，と、３つの作動体８５とを備えている。クラッカー支持体６１の軸線の延長線上であって、該クラッカー支持体６１の露出開口６１ｂから第一の向き３１へ離れた位置に作動体８５が設けられており、このクラッカー支持体６１と作動体８５との間に引紐案内体７１が設けられている。
【００６２】
引紐案内体７１は、基台５に立設された角ブロック状体７４１である。この角ブロック状体７４１の上面には、案内溝７４２が形成されている。案内溝７４２は、クラッカー支持体６１の軸線の延長線上を通るように第一の向き３１に延び且つ上方へ向けて開放している。但し、案内溝７４２は引紐１１を下方から支持できればよいので、角ブロック状体７４１の側面に側方へ向けて開放する案内溝を設けてもかまわない。なお、案内溝７４２は、引紐１１を下方から支持するだけで引紐１１の引出向きへの動きを妨げないような大きさの溝幅を有している。
【００６３】
上記構成の引紐案内体７１で引紐１１を案内する際には、クラッカー支持体６１に支持されたクラッカー１０の本体１２から第一の向き３１に引き出された引紐１１を、角ブロック状体７４１の案内溝７４２を通し、案内溝７４２から出た引紐１１の尖端に玉留め１１ｂを形作る。この玉留め１１ｂは、引紐１１を玉留め結びしたり、或いは、引紐１１に金属や樹脂などの玉を止め付けたりすることによって作ることができる。なお、引紐１１の案内溝７４２から出たところから玉留め１１ｂまでの間が、被作用部１１ｃとなる。
【００６４】
続いて、作動体８５を説明する。作動体８５は、回転軸８２を中心として回転する回転体８１の周面上に設けられている。回転体８１は、基台５に固定されたブラケット８３，８３に支承されている。３つの作動体８５，，は、互いに異なる回転位相で回転体８１の周面上に配置されており、各作動体８５は回転体８１の周面から回転軸８２を中心とする放射方向へ突出する突起形状を有している。回転軸８２の軸方向は、クラッカー支持体６１の軸線方向と略直交しており、作動体８５は回転体８１の回転に伴って回転軸８２を中心とする円周方向へ移動することができる。
【００６５】
作動体８５は、回転軸８２を中心とする放射方向へ延びる板状の基部８５１と、この基部８５１と略直交する板状の爪部８５２とで、側面視において略Ｌ字状に一体的に形成されている。基部８５１に対して爪部８５２は、作動体８５の移動方向へ向けて突出している。作動体８５には、クラッカー支持体６１の軸線の延長線上を通るように切り込まれた細溝８５３が形成されている。つまり、引紐案内体７１の案内溝７４２と、作動体８５の細溝８５３とは、共にクラッカー支持体６１の軸線の延長線上に位置している。本実施の形態に係る作動体８５では、細溝８５３は爪部８５２と基部８５１の一部とにわたって連続して設けられている。この細溝８５３は引紐１１が通る程度の幅であり、細溝８５３の開口部分は引紐１１を導入し易いように扇状に拡がっている。そして、回転体８１の回転に伴い円周方向に移動する作動体８５の爪部８５２が、引紐案内体７１の第一の向き３１の端部と接触はしないが極めて近接して通過するように、作動体８５と引紐案内体７１との位置関係が定められている。
【００６６】
ここで、図９を参照しながら、上記構成のクラッカー連発装置４の使用方法と動作を説明する。初めに、クラッカー支持体６１にクラッカー１０を装着する。クラッカー１０のクラッカー支持体６１への装着の手順は前述したとおりである。クラッカー支持体６１に装着されたクラッカー１０の引紐１１は第一の向き３１へ延出されており、この引紐１１の被作用部１１ｃは引紐案内体７１によって作動体８５の移動の軌跡と交わる位置に案内されている。引紐案内体７１による引紐１１の案内の手順は前述した通りである。
【００６７】
上述のようにして全てのクラッカー１０，，が装着された状態で、ハンドル８４を操作して回転体８１を回転させる。すると、作動体８５は、回転体８１の回転に伴って回転軸８２を中心とする円周方向（図９の矢印３６の方向）へ移動する（図９（ａ）参照）。やがて、作動体８５と引紐１１の被作用部１１ｃとが当接し、作動体８５の細溝８５３に引紐１１の被作用部１１ｃが挿入される（図９（ｂ）参照）。引紐１１の玉留め１１ｂが細溝８５３からの抜け止めとなり、作動体８５が円周方向へさらに移動すると引紐１１が引っ張られる。これにより、クラッカー１０の本体１２から引紐１１が引き出され、この引紐１１の引き代が所定の長さになるとクラッカー１０が鳴る（図９（ｃ）参照）。
【産業上の利用可能性】
【００６８】
本発明に係るクラッカー連発装置は、単独で利用されるだけでなく、他の装置に組み込んで又は他の装置と組み合わせて利用することもできる。例えば、クラッカー連発装置の回転体にオルゴールを組み合わせてオルゴールが奏でる音楽と合わせてクラッカーが鳴るようにしたり、くす玉にクラッカー連発装置を内装してくす玉の割れる瞬間にクラッカーを連発して鳴らすようにしたり、銃を模した筐体にクラッカー連発装置を内装して回転軸と連結させた引き金を引いてクラッカーを鳴らすようにしたりするなど、クラッカー連発装置を多岐にわたって活用することができる。
【符号の説明】
【００６９】
４  クラッカー連発装置
５  基台
６  クラッカー作動機構
１０  クラッカー
１１  引紐
６１  クラッカー支持体
７１  引紐案内体
８１  回転体
８２  回転軸
８４  ハンドル
８５  作動体
【図１】
2011185524.tif 000003
【図２】
2011185524.tif 000004
【図３】
2011185524.tif 000005
【図４】
2011185524.tif 000006
【図５】
2011185524.tif 000007
【図６】
2011185524.tif 000008
【図７】
2011185524.tif 000009
【図８】
2011185524.tif 000010
【図９】
2011185524.tif 000011